(57)【特許請求の範囲】
【請求項１】
軒先の鼻板に取付け固定される鼻隠し部とその下端部の軒天井支持部とを備えた鼻隠し部材であって、鼻隠し部においては、軒樋吊具の取付け部を有する鼻板への取付け板状部の下方に、軒天井部材の上面を押える横板状部と、軒天井支持部嵌着用の円弧状凸部または凹部が設けられており、軒天井支持部においては、鼻隠し部の円弧状凸部または凹部と対応する嵌着用の円弧状凹部または凸部と、軒天井部材を止めるビス用穴が設けられ、鼻隠し部の円弧状凸部または凹部への嵌着により軒天井支持部は回動可能とされており、
軒天井支持部は、回動によって、その上面が鼻隠し部横板状部により押えられた軒天井部材の下面を支持し、ビス用穴からのビスにより軒天井部材が止められるようにしていることを特徴とする軒天井取付け鼻隠し部材。
【請求項２】
請求項１記載の軒天井取付け鼻隠し部材を用いた軒先一体構造であって、鼻隠し部の取付け板状部において鼻板に取付け固定されると共に、軒樋吊具の取付け部に吊具が取付けられて軒樋が吊下げ装着され、鼻隠し部の横板状部が軒天井部材の上面を押え、その下面を、鼻隠し部の円弧状凸部または凹部に回動可能に軒天井支持部の円弧状凹部または凸部において嵌着された軒天井支持部の回動により支持し、軒天井支持部に設けたビス用穴からのビスにより軒天井部材が止められていることを特徴とする軒先一体構造。
【発明の詳細な説明】
【技術分野】
【０００１】
本発明は、軒天井取付け可能な鼻隠し部材とこれを用いた軒先一体構造に関するものである。
【背景技術】
【０００２】
従来より、建家の軒先においては、軒先の納まり構造として、たとえば図４のように大きく窯業系の鼻隠し部材１を鼻板２に取付け、これに吊具３を介して軒樋４を取付けるようにした構造や、図５のように鋼板等の金属製の鼻隠し部材１を用いるようにした構造が知られている。このうちの後者のような鋼板等の鼻隠し部材１はより一般的に用いられており、これを用いる構造は、鼻板２への取付けや吊具３の取付け等の施工性が容易であって、しかも図５に示しているように、鼻隠し部材１の下端部に板金加工が容易な軒天井取付部１Ａを設けることで、この軒天井部材５の取付け施工を容易としてもいる。
【０００３】
このような鋼板等の金属製の鼻隠し部材１を用いた軒先納め構造においては、従来より、軒天井部材５の取付けのための軒天井取付部１１の形状や構造についての様々な設計や工夫が試みられてきている（たとえば特許文献１−５）。また、これらの試みのいくつかでは、軒樋４の装着のための吊具３をワンタッチで鼻隠し部材１に取付け可能とすることも工夫されている。
【特許文献１】特開平７−２９２９０３号公報
【特許文献２】特開平９−２５６５７６号公報
【特許文献３】特開２０００−２２０２６３号公報
【特許文献４】特開２００３−３６２９号公報
【特許文献５】特開２０００−８５６５号公報
【発明の開示】
【発明が解決しようとする課題】
【０００４】
上記のように、鼻隠し部材による軒先納めについての工夫がなされてきているものの、従来の場合には、メンテナンス時に軒天井部材５のみを取替えようとする場合等においては、金属製の鼻隠し部材１の全てを取外さなければならないため、軒天井のメンテナンス時の負担が大きなものとなっていた。
【０００５】
そこで、本発明は、以上のような背景から、従来の問題点を解消し、軒天井のメンテナンス時においても軒先の鼻隠し部材の全てを取外す必要がなく、軒天井メンテナンスの省施工を可能とする、軒先一体構造形成のための新しい鼻隠し部材と、これを用いた軒先一体構造を提供することを課題としている。
【課題を解決するための手段】
【０００６】
本発明の鼻隠し部材とこれを用いた軒先一体構造は、上記の課題を解決するものとして以下のことを特徴としている。
【０００７】
すなわち本発明の軒天井取付け鼻隠し部材は、軒先の鼻板に取付け固定される鼻隠し部とその下端部の軒天井支持部とを備えた鼻隠し部材であって、鼻隠し部においては、軒樋吊具の取付け部を有する鼻板への取付け板状部の下方に、軒天井部材の上面を押える横板状部と、軒天井支持部嵌着用の円弧状凸部または凹部が設けられており、軒天井支持部においては、鼻隠し部の円弧状凸部または凹部と対応する嵌着用の円弧状凹部または凸部と、軒天井部材を止めるビス用穴が設けられ、鼻隠し部の円弧状凸部または凹部への嵌着により軒天井支持部は回動可能とされており、軒天井支持部は、回動によって、その上面が鼻隠し部横板状部により押えられた軒天井部材の下面を支持し、ビス用穴からのビスにより軒天井部材が止められるようにしている。
【０００８】
また、本発明の軒先一体構造は、上記の軒天井取付け鼻隠し部材を用いた構造として、鼻隠し部の取付け板状部において鼻板に取付け固定されると共に、軒樋吊具の取付け部に吊具が取付けられて軒樋が吊下げ装着され、鼻隠し部の横板状部が軒天井部材の上面を押え、その下面を、鼻隠し部の円弧状凸部または凹部に回動可能に軒天井支持部の円弧状凹部または凸部において嵌着された軒天井支持部の回動により支持し、軒天井支持部に設けたビス用穴からのビスにより軒天井部材が止められている。
【発明の効果】
【０００９】
上記のとおりの本発明の鼻隠し部材とこれによる軒先一体構造によれば、軒天井の取付け、そして吊具を介しての軒樋の配設という軒先の一体化施工が容易とされるばかりでなく、軒天井のメンテナンス時には軒天井支持部材におけるビス止めを解除して軒天井支持部材を回動するだけで軒天井部材の取外しが可能になることから、従来のように鼻隠し部材全てを取外す必要は全くなく、軒天井メンテナンスの省施工が可能とされる。
【発明を実施するための最良の形態】
【００１０】
本発明は上記のとおりの特徴をもつものであるが、以下にその実施の形態について説明する。
【００１１】
図１は、本発明の鼻隠し部材の一実施形態を例示した部分断面図とその要部の断面図である。この実施形態の鼻隠し部材１０は、軒先の鼻板２に取付け固定される鼻隠し部１１とその下端部の軒天井支持部１２とを備えている。
【００１２】
鼻隠し部１１においては、たとえば前下方へと略Ｌ字状に屈曲して突出した上挾持片部１１Ａと前上方へと略Ｌ字状に屈曲して突出した下挾持片部１１Ｂとにより軒樋吊具のワンタッチでの嵌着取付けを可能とした取付け部を有する鼻板への取付け板状部１１Ｃの下方に、軒天井部材５の上面を押える横板状部１１Ｄと、軒天井支持部１２の嵌着用の円弧状凸部１１Ｅが設けられている。
【００１３】
一方、軒天井支持部１２においては、その板状部に、嵌着用の円弧状凹部１２Ａと、軒天井部材５を止めるビス用穴１２Ｂが設けられ、鼻隠し部１１の上記の円弧状凸部１１Ｅへの円弧状凹部１２Ａの嵌着により軒天井支持部１２は、図中の矢印のように、回動可能とされている。
【００１４】
そして、嵌着により回動可能とされた軒天井支持部１２は、回動によって、その上面が鼻隠し部１１の横板状部１１Ｄにより押えられた軒天井部材５の下面を支持し、ビス用穴１２Ｂからのビスにより軒天井部材５が止められるようにしている。
【００１５】
上記例示の形状、構造の鼻隠し部材１０は、その素材については限定的ではないが、好適には、鼻隠し部１１および軒天井支持部材１２ともに鋼、アルミニウム等の金属製とすることができ、押出し成形品等として成形することができる。板金加工を施すようにしてもよい。
【００１６】
鼻隠し部１１の嵌着用の円弧状凸部は、図１例示のように下端部のコーナー部に設けることが好適に考慮される。そしてこの円弧状凸部に嵌着される軒天井支持部１２の円弧状凹部については、軒天井部材５の取付けやメンテナンス時の取外し作業の支障とならず、しかも軒天井部材５を確実に安定して支持できるように軒天井支持部１２を回動可能とする位置に配置する。
【００１７】
軒天井部材５の上面を押えることになる鼻隠し部１１の横板状部１１Ｄの上下位置については、軒天井部材５の厚みに対応して定めればよい。
【００１８】
また、ビス、釘等による軒天井部材５のビス止め用穴１２Ｂは、軒天井支持部１２において所定の一定間隔をもって設けておいてもよい。鼻隠し部１１の横板状部１１Ｄにも軒天井部材５取付けのためのビス用穴１１Ｆを設けておいてもよい。
【００１９】
さらにまた、上記例示の鼻隠し部材１０において板状部１１Ｃに設けた上挾持片部１１Ａと下挾持片部１１Ｂに限られることなく、吊具の取付け部の形状、構造が適宜に採用されてよいことは言うまでもない。
【００２０】
なお、図１の例では、軒天井支持部１２の嵌着用として鼻隠し部１１に円弧状凸部１１Ｅを設けているが、その形状については円弧状凹部であってもよい。この場合、軒天井支持部１２には鼻隠し部１１の円弧状凹部に対応する形状の嵌着用の円弧状凸部が設けられる。
【００２１】
図２および図３は、本発明の鼻隠し部材を用いた軒先一体構造の実施形態を、その施工手順として例示した断面図である。
【００２２】
まず第１の施工手順としては、まず図２に例示したように、鼻隠し部１１をその取付け板状部１１Ｃにおいて鼻板２にビス、釘等により取付け固定する。次いで軒樋吊具の取付け部である上挾持片部１１Ａと下挾持片部１１Ｂに吊具３が取付けられて軒樋４が吊下げ装着される。この場合の吊具３や軒樋４の形状、構造は様々であってよい。
【００２３】
この軒樋の施工後に、鼻隠し部１１の横板状部１１Ｄが軒天井部材５の上面を押えるように、たとえば図中の矢印方向より軒天井部材５を配置し、必要に応じて、軒天井部材５を、ビス、釘等によって上記の横板状部１１Ｄに仮止めで打ち付ける。
【００２４】
その後、第２の施工手順として、図３に例示したように、軒天井部材５の下面を、鼻隠し部１１の円弧状凸部１１Ｅに回動可能に円弧状凹部１２Ａにおいて嵌着された軒天井支持部１２の回動（図中の矢印方向）により支持し、軒天井支持部１２に設けたビス用穴１２Ｂからのビス６により軒天井部材５を止める。
【００２５】
そして、メンテナンス時に上記の軒天井部材５を取外す場合には、図３の状態の軒天井支持部１２におけるビス止めを解除し、軒天井支持部１２を上記とは逆方向に回動させる。これによって、軒天井部材５の取外しが可能になる。従来のように、鼻隠し部材全てを取外す必要は全くない。
【００２６】
もちろん、本発明においては以上の例示説明に限定されることはなく、その細部においても様々な形態が可能であることは言うまでもない。
【図面の簡単な説明】
【００２７】
【図１】本発明の鼻隠し部材の一実施形態を例示した部分断面図と要部断面図である。
【図２】本発明の構造における軒天井部材の取付けのための第１の手順を例示した断面図である。
【図３】軒天井部材の取付けの第２の手順を例示した断面図である。
【図４】従来の窯業系の鼻隠し部材を例示した断面図である。
【図５】従来の鋼板の鼻隠し部材を例示した断面図である。
【符号の説明】
【００２８】
１    鼻隠し部材
１Ａ    軒天井取付部
１０    鼻隠し部材
１１    鼻隠し部
１１Ａ    上挾持片部
１１Ｂ    下挾持片部
１１Ｃ    板状部
１１Ｄ    横板状部
１１Ｅ    円弧状凸部
１１Ｆ    ビス用穴
１２    軒天井支持部
１２Ａ    円弧状凹部
１２Ｂ    ビス用穴
２    鼻板
３    吊具
４    軒樋
５    軒天井部材
６    ビス
【図１】
0004661655.tif 000002
【図２】
0004661655.tif 000003
【図３】
0004661655.tif 000004
【図４】
0004661655.tif 000005
【図５】
0004661655.tif 000006